(57)【要約】      （修正有）【課題】折り畳んだり、自動的に広げたりすることができるとともに良好な状態で搬送や保存ができ、現場で迅速に設置可能な情報表示スタンドを提供する。【解決手段】呈示面を有する情報表示スタンドは、枢着縁３５、３６と枢着縁に平行な自由縁３７、３８との間に延出する２つのエンドパネル３２、３４を有する、剛性の材料からなる複数のパネル３２〜３４を含み、２つのエンドパネルの２つの自由縁を離間させた状態でスタンドを弾性戻り手段の作用に逆らって平らにする。戻り手段が、パネルを広げた後に、２つの自由縁が一致するようにしてスタンドを組み立てるように配置される。枢着縁と自由縁との間のエンドパネルの幅は、スタンドの展開幅の残りとは異なり、２つのエンドパネルはそれぞれ弾性戻り手段を固定するフラップ３９、４０によって延出されており、フラップは自由縁で枢着され、内側に枢動している。【選択図】図６
2008276218.tif 000002
【特許請求の範囲】
【請求項１】
少なくとも１つの呈示面を有する情報表示スタンドであって、
実質的に剛性の材料からなり枢動方向に枢着された複数のパネル（２、３；３２〜３４；５２〜５４；６２〜６７）を含み、前記複数のパネルは、枢着縁（７；３５、３６；５５、５６；６８、７２）と枢着縁（７；３５、３６）に実質的に平行な自由縁（１９、２０；３７、３８）との間で延出する２つのエンドパネルを有し、
前記スタンドは、弾性戻り手段（２３、４１）の作用に対抗して、２つのエンドパネル（２、３；３２、３４）の２つの自由縁（１９、２０；３７、３８）を互いに離間させた状態で平らにすることが可能となっており、もって前記複数のパネルが折り畳み可能となっており、
前記戻り手段（２３；４１）は、折り畳んだ前記複数のパネルを開くと、２つの自由縁（１９、２０；３７、３８）を合わせるようにもたらして、当該自由端を略一致させ、そして前記スタンドを組み立てるように配置され、
枢着縁（７）と自由縁（１９、２０）との間の前記エンドパネル（２、３）の一方の幅は、前記スタンドの展開幅の残りとは異なり、
前記２つのエンドパネルはそれぞれ前記弾性戻り手段を固定するためのフラップ（１７、１８；３９、４０）によって延出されており、
前記フラップは、自由縁（１９、２０；３７、３８）に枢着されると共に内側に枢動しており、スタンドの組み立て時に、２つのエンドパネルを固定する前記フラップが当該２つのエンドパネルの間で一緒に平らになる、スタンド。
【請求項２】
各エンドパネル（２、３；３２、３４；５２、５４；６２、６７）の自由縁（１９、２０；３７、３８）に枢着され、当該エンドパネルに対して内側に枢動したフラップが、一緒に枢動可能な複数のパネルボード（４、５）と同数だけ設けられる、請求項１記載のスタンド。
【請求項３】
異なる幅を備えた２つの枢着されたパネル（２、３）が設けられる、請求項１記載のスタンド。
【請求項４】
３つのパネル（３２〜３４；５２〜５４）が設けられる、請求項１記載のスタンド。
【請求項５】
各エンドパネル（５２、５４）の幅が他の２つのパネル（５３、５４；５２、５３）の幅の和よりも狭い、請求項４記載のスタンド。
【請求項６】
２つのエンドパネル（５２、５４）が同じ幅を備えている、請求項５記載のスタンド。
【請求項７】
２つのエンドパネル（３２、３４）の一方（３２）の幅が他の２つのパネル（３３、３４）の幅の和よりも広い、請求項５記載のスタンド。
【請求項８】
組み立てると、多角形のベースで支持するように直立する、請求項１記載のスタンド。
【請求項９】
前記弾性戻り手段が、一緒に枢動可能な複数のパネルボード（４、５）と同数の、フラップ（１７、１８；３９、４０）に固定されるゴムバンド（２３；４１）を含む、請求項１記載のスタンド。
【請求項１０】
前記弾性戻り手段が１本のゴムバンドを含む、請求項１記載のスタンド。
【請求項１１】
１枚のパネルを１つまたは２つの枢着縁（７；３５、３６；５５、５６；６８〜７２）に沿って折ることで前記複数のパネルが得られる、請求項１記載のスタンド。
【発明の詳細な説明】
【技術分野】
【０００１】
本発明の分野は、ポイントオブセールディスプレイとして知られている、販売場所での視覚的広告やコミュニケーションのための情報表示スタンドの分野である。本発明の表示スタンドは、折り畳んだり、実質的に自動的に広げたりすることができるコラムであり、になっており、良好な状態で搬送や保存ができ、現場でとても迅速に設置できるという利点を有する。
【０００２】
折り畳まれた状態から始まり、スタンドを広げ始めるだけでよい。すると、弾性戻り手段の作用によって自動的に完全に広がる。もちろんこれと対照的に、スタンドの折り畳みは、弾性戻り手段の作用に逆らって行われる。
【背景技術】
【０００３】
フランス特許第２８２４９４６号は、呈示面を有する、情報を表示するためのスタンドを開示しており、このスタンドは、呈示面を含み実質的に剛性の材料からなる折り畳み可能なパネルと、パネルの呈示面を膨出させるための弾性戻り／緊張手段と、パネルの呈示面を膨出した状態で保持する、弾性緊張手段と対向する複数の挿入部とを含む。
【０００４】
この先行技術のスタンドでは、スタンドを組み立てると、保持片、すなわち挿入部がスタンド内に延出する。
【発明の開示】
【発明が解決しようとする課題】
【０００５】
本出願人は、物体をスタンドの内部にスライドできるように、または、スタンドを、スタンドから突出している、あるいは、突出していない物体の周りにスライドできるように、組み立て状態における内部空間に何もないスタンドを提供することを追求した。この物体は宣伝目的を備えているか、あるいは、組み立てた状態でベースの面積が狭すぎる場合にスタンドの安定性を保つという純粋に物理的な目的を備えている。
【課題を解決するための手段】
【０００６】
本発明は、少なくとも１つの呈示面を有する情報表示スタンドに関し、このスタンドは、実質的に剛性の材料からなり枢動方向に枢着された複数のパネルを含み、前記複数のパネルは、枢着縁と枢着縁に実質的に平行な自由縁との間で延出する２つのエンドパネルを有し、前記スタンドは、弾性戻り手段の作用に対抗して、２つのエンドパネルの２つの自由縁を互いに離間させた状態で平らにすることが可能となっており、もって前記複数のパネルが折り畳み可能となっており、前記戻り手段は、折り畳んだ前記複数のパネルを開くと、前記２つの自由縁を合わせるようにもたらして、当該自由端を略一致させ、そして前記スタンドを組み立てるように配置され、枢着縁と自由縁との間の前記エンドパネルの一方の幅は、前記スタンドの展開幅の残りとは異なり、前記２つのエンドパネルはそれぞれ前記弾性戻り手段を固定するためのフラップによって延出されており、前記フラップは、自由縁に枢着されると共に内側に枢動しており、スタンドの組み立て時に、２つのエンドパネルを固定する前記フラップが当該２つのエンドパネルの間で一緒に平らになる。
【０００７】
「パネル」は、一方では２つの枢着縁の間またはエンドパネルの場合は１つの枢着縁と自由縁との間で延出し、もう一方では２つの横縁の間で延出する、十分に軽量な厚紙ないしボール紙、あるいはプラスチックからなる比較的硬い要素を意味するものと理解すべきである。このパネルは独立した要素でもよいし、より大きなパネルの一部でもよく、より大きなパネルを１つまたは２つの枢着縁に沿って折ることで、問題にしているこの要素を得ることができる。
【０００８】
「スタンドの展開幅」は、スタンドの全てのパネルの幅の和を意味すると理解すべきで、問題にしている幅は、２つの枢着縁の間またはエンドパネルの場合は枢着縁と自由縁との間のことをいう。したがって展開幅の残りは、この展開幅から問題にしているエンドパネルの幅を引いたものに等しい。
【０００９】
本発明のスタンドを展開した場合、枢着縁は２つの自由縁から等距離にないことにすぐに注目すべきである。
【００１０】
スタンドの２つの自由縁を互いから離間させるとすぐに戻り手段が張られ、この作用によってスタンドが組み立てられ、一緒に枢動されていない複数のパネルの連続状の横縁によって形成される多角形のベースで直立できることにさらに注目すべきである。
【００１１】
本発明のスタンドは、求められている機能上の利点に加えて、内側保持挿入部を一切持たずに内側固定フラップだけを有するため、製造コストが特に低い。
【００１２】
本出願人はフランス特許第２８２４９４６号のスタンドを有効に改変し改良しようとしており、本願のスタンドは、組み立てた状態において、弾性手段のための固定ラグないし切り込みのような、弾性手段のための固定フラップが隠れるため、本願のスタンドのほうがより魅力的な外観を呈するという点において、フランス特許第２７６０８８０号とも異なることが分かる。さらに、使える呈示領域がかなり増大する。
【００１３】
好ましくは、各エンドパネルの自由縁に枢着され、このエンドパネルに対して内側に枢動したフラップが、共に枢動可能な複数のパネルボードと同数だけ設けられる。
【００１４】
本発明のスタンドの特定の用途としては、商業販売エリアで製品を示すためのエンドディスプレイとして、またはこういったエリアもしくはあらゆる他の店における盗難防止の出入口のライニングとして使用できる。
【００１５】
本発明のスタンドの好適な実施形態では、異なる幅を備えた２つの枢着されたパネルを有する。
【００１６】
この場合、組み立てた状態において、より幅の広いパネルが弾性戻り手段の作用によって膨出する。
【００１７】
本発明のスタンドは３つのパネルを含んでもよく、各エンドパネルの幅は他の２つのパネルの幅の和よりも狭いか、または２つのエンドパネルの一方の幅は他の２つのパネルの幅の和よりも広い。
【００１８】
この場合、組み立てた状態において、パネルの両側の横縁が三角形の直立／支持用ベースを形成する。
【００１９】
本発明のスタンドはまた、同じ幅を備えた２つのエンドパネルを有する３つのパネルを含んでもよい。
【００２０】
有利には、弾性戻り手段は、一緒に枢動可能な複数のパネルボードと同数の、フラップに固定されるゴムバンドを含むことができる。
【００２１】
２つのエンドパネルに１本のゴムバンドを想定することも可能である。
【００２２】
添付図面を参照し、本発明のスタンドの幾つかの実施形態についての以下の説明によって、本発明をよりよく理解できるであろう。
【発明を実施するための最良の形態】
【００２３】
図１〜３の表示スタンドは、硬く折り畳み可能な材料である十分に軽量な厚紙ないしボール紙からなる１枚の出発パネルから形成され、枢着縁を形成する折り線７によって分けられた２枚のパネル部分２、３を含む。各パネル部分２、３は、この場合４枚のボード４、５に分割され、これらのボードはこの場合３本の太い折り線６に沿って互いに隣接している。複数のボード４、５は全て互いに同一である。スタンドをコラム１として組み立てた場合（図２）に、スタンドコラムの情報呈示面１１、１２となるのが、ボード４、５の前面である。複数のボード４、５を一緒に枢動させることで、図２のコラム自身を折り畳むことができる。
【００２４】
矩形の出発パネル（図３）は、２つの自由側縁１３、１４と２つの横縁１５、１６を有する。側縁１３、１４から出発して、側方フラップ部分１７、１８が、後で説明するゴムバンドを固定するために２本の折り線１９、２０を超えて形成されている。
【００２５】
折り線６の端領域には、ボード４、５を折り畳めるようにフラップ１７、１８に切り込みが入れられている。各フラップは、ゴムバンドを通し、そしてこれを受けるようにもう一対の中央切り込み２１、２２を有する。フラップ１７、１８は、折り線１９、２０がパネル部分２、３の自由縁となるように、これに隣接するボード４、５の内面に対して枢動している。
【００２６】
縁７に沿って枢着されている、図１〜３のスタンドの２つの別々のパネル部分２、３が、エンドパネルである。２つのパネル２、３の幅は異なる。２つのパネルを合わせるように枢動させた状態で平らにした時には（図１）、２つのパネルの２つの自由縁１９、２０は離間している。
【００２７】
フラップ１７、１８は対で関連しており、互いに対向している。関連するフラップ対それぞれのフラップ１７、１８の４つの中央切り込み２１、２２に、ゴムバンド２３を滑り込ませる。
【００２８】
２つのパネルが枢動して合わさるように、スタンドを平らにすると、ゴムバンド２３は伸びた状態で張られる。換言すると、平らにする動作はゴムバンド２３の作用に逆らって行われる。
【００２９】
ゴムバンド２３の作用によって２つの自由縁１９、２０が一緒に引っ張られ、互いに近づいて最終的にはほぼ一致する。関連するフラップは対になり、平らになり、２つのパネル２、３間、この場合は両方のエンドパネルの間、で互いに押し付けるように保持される。このようなスタンドの組み立て状態では、２つのパネルの幅が異なるために、より幅の広いパネル２が膨出する（図２）。こうしてスタンドは完全に組み立てられ、（幅の狭いパネル３の）直線部分と（幅の広いパネル２の）曲線部分を有する２つの横縁の一方からなるベースで直立することができる。フラップ１７、１８は、このようにして形成された容積の内部に配置されるため、見えない。表示スタンドの外観は魅力的で、使える表示領域は、他の事柄は全て先行技術の表示スタンドと同じであるが、これよりも広い。
【００３０】
コラム１はそれ自身で折り畳まれるため、これを直立させるためには、折り線６で共に枢動されている複数のボード４、５を開くと、ゴムバンド２３の作用によって図２に示す状態となる。これを畳むためには、ゴムバンド２３の作用に逆らって再度平らにし、ボード４、５を共に枢動させる。
【００３１】
図４〜６の表示スタンド３１は、１枚の出発パネルで３つのパネル部分３２、３３、３４、即ち２つのエンドパネル３２、３４と、２つのパネル部分３２、３４の２つの自由縁３７、３８に平行な２本の折り縁すなわち枢着縁３５、３６によって区切られた１つの中央パネル３３とを含むという点において、これまでの図のスタンドと異なる。ゴムバンド４１を固定し対で関連するフラップ３９、４０は、これまでの実施形態と同様に自由縁３７、３８に沿って枢着されている。
【００３２】
ここでも各エンドパネル３２、３４の幅は、他の２つのパネル３３、３４−３２、３３の幅の和と異なる。この場合、枢着縁３６と自由縁３７との間のエンドパネル３２の幅は、図４から分かるように、他の２つのパネル３３、３４の幅の和よりも広い。
【００３３】
一緒に枢動されているパネル部分のボードを折り線４２で広げると、スタンド３１はゴムバンド４１の作用で組み立てられる。その結果、このスタンドは三角形の直立／支持用ベース４３（図６）で直立することができる。このベースの辺は、３つのパネル部分３２〜３４の連続状の横縁４１〜４６からなる。
【００３４】
図４に示す解体された平らな姿勢では、スタンドの２つの自由縁３７、３８は互いに離間しており、ゴムバンド４１は張っている。これらゴムバンドの作用によって、スタンドは形をとり始め、自由縁３７、３８は互いに近づき始め（図５）、最終的に互いに一致して完全な組み立て状態（図６）になる。この状態では、フラップ３９、４０は形成された容積の内部にあり、消費者の視界から隠れるため、広い呈示領域を解放する。
【００３５】
図７の表示スタンド５１は、図４〜６のスタンドに似ている。唯一異なるのは、２つのエンドパネル部分５２、５４の幅が同じであるということである。この２つのエンドパネル部分５２、５４が２本の枢着線５５、５６の間にある中央パネル部分５３を囲んでおり、このパネルの３つの部分は１枚のパネルから形成されている。
【００３６】
図８の表示スタンド６１については、１枚のパネルから始まって５本の枢着／折り縁６８〜７２によって接続する６つの隣接するパネル部分６２〜６７を含むという点において、これまでのパネルとは異なる。この場合も、各エンドパネル部分６２、６７の幅はパネル６１の展開幅の残りとは異なる。
【００３７】
組み立てた状態では、パネル部分６２〜６７の横縁７３〜７８が６つの辺を持つ多角形のベースを形成する。
【図面の簡単な説明】
【００３８】
【図１】枢着されている２つのパネルを有する、平らにされた状態の本発明のスタンドの第１の実施形態の斜視図である。
【図２】組み立てた状態の図１のスタンドの斜視図である。
【図３】展開状態で平らにした図１および２のスタンドの平面図である。
【図４】３つの枢着されたパネルを有する、平らにされた状態の本発明のスタンドの第２の実施形態の斜視図である。
【図５】組み立て中の図４のスタンドの斜視図である。
【図６】組み立てられた状態の図４および５のスタンドの斜視図である。
【図７】展開状態で平らにした本発明のスタンドの第３の実施形態の平面図である。
【図８】展開状態で平らにした本発明のスタンドの第４の実施形態の平面図である。
【図１】
2008276218.tif 000003
【図２】
2008276218.tif 000004
【図３】
2008276218.tif 000005
【図４】
2008276218.tif 000006
【図５】
2008276218.tif 000007
【図６】
2008276218.tif 000008
【図７】
2008276218.tif 000009
【図８】
2008276218.tif 000010
【外国語明細書】
2008276218000001.pdf